(57)【特許請求の範囲】
【請求項１】
国を識別するための国コード、広域向け番組と地域向け番組とのいずれか一方を示すエリアコード及びネットワークを識別するためのネットワークコードを含む放送関連情報を多重した多重放送波を受信可能な受信機であって、
放送波を受信するために受信周波数を可変可能な受信手段と、
前記受信手段にて受信された放送波から前記放送関連情報の復調を行なう復調手段と、
前記復調手段において得られた国コード、エリアコード及びネットワークコードを記憶指令に応じて記憶するメモリと、
前記受信手段にて新たに受信された放送波からの前記放送関連情報の復調によって前記復調手段において新たに得られた国コード、エリアコード及びネットワークコードと前記メモリに記憶された国コード、エリアコード及びネットワークコードを比較する比較手段と、を含み、
前記比較手段の比較結果が前記復調手段において新たに得られた国コード及びネットワークコードと前記メモリに記憶された国コード及びネットワークコードとが一致し、前記メモリに記憶されたエリアコードが地域向け番組を示しかつ前記復調手段において新たに得られたエリアコードが広域向け番組を示すならば、前記受信手段は前記新たに受信された放送波を継続して受信することを特徴とする受信機。
【請求項２】
国を識別するための国コード、広域向け番組と地域向け番組とのいずれか一方を示すエリアコード及びネットワークを識別するためのネットワークコードを含む放送関連情報を多重した多重放送波を受信可能な受信機であって、
放送波を受信するために受信周波数を可変可能な受信手段と、
前記受信手段にて受信された放送波から前記放送関連情報の復調を行なう復調手段と、
前記復調手段において得られた国コード、エリアコード及びネットワークコードを記憶指令に応じて記憶するメモリと、
前記受信手段にて新たに受信された放送波からの前記放送関連情報の復調によって前記復調手段において新たに得られた国コード、エリアコード及びネットワークコードと前記メモリに記憶された国コード、エリアコード及びネットワークコードを比較する比較手段と、を含み、
前記比較手段の比較結果が前記復調手段において新たに得られた国コード及びネットワークコードと、前記メモリに記憶された国コード及びネットワークコードとが一致し、前記メモリに記憶されたエリアコードが広域向け番組を示しかつ前記復調手段において新たに得られたエリアコードが地域向け番組を示すならば、前記受信手段は前記新たに受信された放送波を継続して受信することを特徴とする受信機。
【発明の詳細な説明】
【０００１】
【発明の属する技術分野】
本発明は、放送関連情報を多重した多重放送波を受信可能な受信機に関するものである。
【０００２】
【従来の技術】
放送局の放送の際にその番組内容に関連する情報等の放送関連情報をデータとして多重変調にて送信し、受信側にてこれを復調し、復調したデータに基づいて所望の番組内容を選択できるようにしてラジオ聴取者に対してそのサービスを提供できるようにしたラジオデータシステム（ＲＤＳ）がある。
【０００３】
このラジオデータシステムにおいては、ＦＭ変調波の周波数帯域外で１９ＫＨz のステレオパイロット信号の３次高調波である５７ＫＨz を副搬送波とし、この副搬送波をフィルタリングされかつバイフェーズ（Biphase)コード化された番組内容等の放送に関連する情報を示すデータ信号により振幅変調してラジオデータ信号とし、この振幅変調された副搬送波を主搬送波に周波数変調して放送するようになされている。
【０００４】
ラジオデータ信号は、そのベースバンドコーディング構造を示す図１から明らかなように、１０４ビットを１グループとして繰り返し多重伝送される。１つのグループは各々２６ビット構成の４ブロックからなり、また各ブロックは１６ビットの情報ワードと１０ビットのチェックワードとからなっている。タイプ０Ａを例にとれば、図２に示すように、ブロック１にはネットワークを表わす番組識別（ＰＩ）コードが、ブロック２には交通番組識別（ＴＰ）コードや交通アナウンス識別（ＴＡ）コードが、ブロック３には同一番組を放送しているネットワーク局群の周波数（ＡＦ）データが、ブロック４には放送局名やネットワーク名等の番組サービス名情報（ＰＳ）データがそれぞれ配置される。また、各グループはその内容に応じて４ビットにてタイプ０〜１５の１６通りに区別され、さらに各タイプ（０〜１５）に対しそれぞれＡ，Ｂの２つのバージョンが定義されており、これらの識別コードはブロック２に配置されている。なお、ネットワーク局のＡＦデータはタイプ０Ａグループのみで伝送され、ＰＳデータはタイプ０Ａ及び０Ｂグループで伝送されるようになっている。
【０００５】
また、ＰＩコードは、１６進表記で４桁からなり、国名を示す１桁の国コード、国内における放送番組の地域を示す１桁のエリアコード及びネットワークの識別を示す２桁のネットワークコードからなる。エリアコードはＲＥＧコードと呼ばれ、０〜Ｆのいずれか１に定められる。ＲＥＧコード＝０は放送局が１局のみの場合を示し、１は国をまたがって同一放送する場合を示し、２は国全体で同一放送をする場合を示し、３は州のように国の中でも広い範囲で同一放送をする場合を示している。４〜Ｆは同一ネットワークの中で放送局毎に個別のローカル放送ほ行なう場合を示している。例えば、同一ネットワークに属する３局があった場合に、３局ともに同一番組で広域向けの放送を行っているときには３局各々のＲＥＧコードは全て３になっていたとすると、３局各々が個別のローカル向けの放送を行なうときにはＲＥＧコードは４以上の４，５，６のように局毎に異なるものとなる。通常、ＲＥＧコード＝１〜３では同一ネットワーク局は全て同一番組を広域向けに放送し、ＲＥＧコード＝４〜Ｆでは同一ネットワーク局各々で個別の番組をローカル向けに放送していると判断することができる。ＲＥＧコード＝１〜Ｆをとる放送局のＲＥＧコードは放送番組が広域向け或いはローカル向けのように変化することによって変化し、一定していない。ＲＥＧコード＝０では単一の放送局であり、ネットワークを形成していないので、そのような放送局は常にＲＥＧコード＝０である。
【０００６】
受信機のプリセットチャンネルの例えば、第１チャンネルにネットワークＮＷに属する放送局ａがセットされていた場合に、ネットワークＮＷの放送番組を聴取するために第１チャンネルのチャンネル選択ボタンが操作されると、チャンネルリコール動作が開始される。チャンネルリコール動作においては、放送局ａの送信周波数が受信され、受信した放送波からラジオデータ信号が抽出されて、そのラジオデータ信号中のＰＩコードが読み取られる。読取ＰＩコードの４桁全てがメモリに記憶されている放送局ａのＰＩコードの全てと一致するならば、そのままの周波数での受信状態が継続される。この受信状態では、放送局ａが属するネットワークＮＷでしかも放送局ａと同一国内及び同一エリアの放送局の放送波が受信される。
【０００７】
ＰＩコードの４桁全ての一致が検出されない場合にはその読取ＰＩコードのＲＥＧコードを除いたＰＩコードが放送局ａのＰＩコードと一致するか否かが判別される。ＲＥＧコードを除いたＰＩコードも一致しないならば、シーク動作或いはメモりに記憶されている他の周波数データを利用して受信周波数を変化させて新たな放送波を検索する放送波検索動作が行なわれ、検索した放送波について上記のようにＰＩコードの４桁全ての一致が判別される。
【０００８】
一方、ＲＥＧコードを除いたＰＩコードが一致している場合には、受信機に設けられているＲＥＧスイッチがオフならば、現受信周波数での受信状態が継続される。ＲＥＧスイッチはＲＥＧコードを無視する場合にはオフ、ＲＥＧコードを考慮する場合にはオンにユーザによって操作されるようになっている。ＲＥＧコードを除いたＰＩコードが一致してＲＥＧスイッチがオンならば、上記の放送波検索動作が行なわれ、検索した放送波についてＰＩコードの４桁全ての一致が判別される。
【０００９】
【発明が解決しようとする課題】
しかしながら、かかるチャンネルリコール動作においては、ＲＥＧスイッチがオンである場合には受信放送波からの読取ＰＩコードの４桁全てがメモリに記憶されている放送局ａのＰＩコードの全てと一致しなければ、その放送波の受信状態が継続されないことが生じる。
【００１０】
例えば、図３に示すように、地域Ａ内の地点ＰＡにおいて受信機の第１チャンネルにネットワークＮＷに属する放送局ａ（周波数９０ＭＨｚ）をセットしたとする。また、そのときの放送局ａのＰＩコードがメモリに記憶されているとする。放送局ａのＰＩコードは広域向け番組ではＣ３１２、ローカル向け番組ではＣ４１２になるとする。その後、地域Ｂ内の地点ＰＢにおいて、ネットワークＮＷの放送番組を聴取するために受信機の第１チャンネルのチャンネル選択ボタンが操作されると、放送局ａの放送波を受信することができないので、放送波検索動作が開始される。地域Ｂ内にはネットワークＮＷに属する放送局ｂ（周波数１００ＭＨｚ）が存在するならば、その放送波検索動作により放送局ｂの放送波がＰＩコードチェックのために受信される。放送局ｂのＰＩコードは広域向け番組ではＣ３１２、ローカル向け番組ではＣ５１２になるとする。
【００１１】
メモリに記憶された放送局ａのＰＩコードがＣ３１２で、放送局ｂのＰＩコードがＣ３１２ならば、受信機では受信周波数が１００ＭＨｚが維持され、放送局ｂの放送波が継続受信される。一方、メモリに記憶された放送局ａのＰＩコードがＣ３１２で、放送局ｂのＰＩコードがＣ５１２の場合、或いはメモリに記憶された放送局ａのＰＩコードがＣ４１２で、放送局ｂのＰＩコードがＣ３１２の場合には受信機では放送局ｂの放送波は無視され、地点ＰＢでは放送波を受信することができない放送局ａに対応する９０ＭＨｚに受信周波数が維持される。
【００１２】
また、ＲＥＧスイッチがオフである場合には、記憶した放送局ａがとり得るエリアコード（ＲＥＧコード）と異なるエリアコードを有する同一ネットワークの放送局の放送波も受信してしまうという問題が生じる。上述の例で補足すると、ＰＩコードがＣ３１２のネットワーク局は、ＰＩコードをＣ４１２又はＣ５１２に変化可能であり、Ｃ４１２，Ｃ５１２は、Ｃ３１２にしか変化し得ない。しかしながら、ＲＥＧスイッチがオフの場合には記憶しているＰＩコード（Ｃ４１２）とは変化し得ない関係のＰＩコード（Ｃ５１２）を有する放送局の放送波を受信した場合でもその受信が維持されてしまう。
【００１３】
そこで、本発明の目的は、記憶しているＰＩコードとはエリアコード（ＲＥＧコード）のみが異なる放送局を選局受信した場合に、その選局受信した放送局の放送波から得られるエリアコードと記憶しているＰＩコード中のエリアコードとが所定の関係にあるときにはその受信を維持することができる受信機を提供することである。
【００１４】
【課題を解決するための手段】
本発明の受信機は、国を識別するための国コード、広域向け番組と地域向け番組とのいずれか一方を示すエリアコード及びネットワークを識別するためのネットワークコードを含む放送関連情報を多重した多重放送波を受信可能な受信機であって、放送波を受信するために受信周波数を可変可能な受信手段と、受信手段にて受信された放送波から放送関連情報の復調を行なう復調手段と、復調手段において得られた国コード、エリアコード及びネットワークコードを記憶指令に応じて記憶するメモリと、受信手段にて新たに受信された放送波からの放送関連情報の復調によって復調手段において新たに得られた国コード、エリアコード及びネットワークコードとメモリに記憶された国コード、エリアコード及びネットワークコードを比較する比較手段と、を含み、比較手段の比較結果が復調手段において新たに得られた国コード及びネットワークコードとメモリに記憶された国コード及びネットワークコードとが一致し、メモリに記憶されたエリアコードが地域向け番組を示しかつ復調手段において新たに得られたエリアコードが広域向け番組を示すならば、受信手段はその新たに受信された放送波を継続して受信することを特徴としている。
【００１５】
かかる本発明の受信機によれば、新たに受信した放送波に含まれるエリアコードとメモリに記憶されているエリアコードとが、広域と地域との関係にある場合にはその放送波の受信を継続するので、記憶した放送局のＰＩコードの変化を適切に反映させた受信が可能となる。
また、本発明の受信機は、国を識別するための国コード、広域向け番組と地域向け番組とのいずれか一方を示すエリアコード及びネットワークを識別するためのネットワークコードを含む放送関連情報を多重した多重放送波を受信可能な受信機であって、放送波を受信するために受信周波数を可変可能な受信手段と、受信手段にて受信された放送波から放送関連情報の復調を行なう復調手段と、復調手段において得られた国コード、エリアコード及びネットワークコードを記憶指令に応じて記憶するメモリと、受信手段にて新たに受信された放送波からの放送関連情報の復調によって復調手段において新たに得られた国コード、エリアコード及びネットワークコードとメモリに記憶された国コード、エリアコード及びネットワークコードを比較する比較手段と、を含み、比較手段の比較結果が復調手段において新たに得られた国コード及びネットワークコードと、メモリに記憶された国コード及びネットワークコードとが一致し、メモリに記憶されたエリアコードが広域向け番組を示しかつ復調手段において新たに得られたエリアコードが地域向け番組を示すならば、受信手段はその新たに受信された放送波を継続して受信することを特徴としている。
【００１６】
かかる本発明の受信機によれば、新たに受信した放送波に含まれるエリアコードとメモリに記憶されているエリアコードとが、地域と広域との関係にある場合にはその放送波の受信を継続するので、記憶した放送局のＰＩコードの変化を適切に反映させた受信が可能となる。
【００１８】
【発明の実施の形態】
以下、本発明の実施例を図に基づいて詳細に説明する。
図４は本発明が適用されたＲＤＳ受信機の構成を示している。この受信機において、アンテナ１で受信されたＦＭ多重放送波はフロントエンド２で希望の局が選択され、中間周波数（ＩＦ）に変換された後、ＩＦアンプ３を介してＦＭ検波器４に供給される。フロントエンド２は、例えば、プログラマブル分周器を含むＰＬＬ回路を用いたＰＬＬシンセサイザー方式を採り、プログラマブル分周器の分周比が後述するコントローラ１４によって制御されることにより選局動作を行なう構成となっている。ＦＭ検波器４の検波出力はＭＰＸ（マルチプレクス）復調回路５に供給され、ステレオ放送の場合にはＬ（左），Ｒ（右）チャンネルのオーディオ信号に分離される。
【００１９】
また、ＦＭ検波器４の検波出力がフィルタ６を通過することにより、バイフェーズコード化されたデータ信号によって振幅変調された５７ＫＨz の副搬送波、すなわちラジオデータ信号が抽出されＰＬＬ回路７で復調される。この復調出力はディジタル（Ｄ）ＰＬＬ回路８及びデコーダ９に供給される。Ｄ‐ＰＬＬ回路８では、ＰＬＬ回路７の復調出力に基づいてデータ復調用のクロックが生成される。生成されたクロックはゲート回路１０に供給される。ロック検出回路１１はＤ‐ＰＬＬ回路８がロックしたことを検出してロック検出信号を発生し、これをゲート回路１０に供給して当該回路１０を開（オープン）状態とすべく制御する。デコーダ９では、ＰＬＬ回路７の復調出力であるバイフェーズコード化されたデータ信号がＤ‐ＰＬＬ回路８で生成されたクロックに同期してデコードされる。
【００２０】
デコーダ９の出力データは、図１に示す如く、２６ビット構成の４ブロックからなる１０４ビットのグループ単位となっており、順次グループ，ブロック同期＆エラー検出回路１２に供給される。グループ，ブロック同期＆エラー検出回路１２では、各ブロックの１０ビットのチェックワードにそれぞれ割り当てられた１０ビットのオフセットワードに基づいてグループとブロック同期がとられると共に、チェックワードに基づいて１６ビットの情報ワードのエラー検出が行なわれる。そして、エラー検出されたデータは次段のエラー訂正回路１３でエラー訂正された後コントローラ１４に供給される。
【００２１】
コントローラ１４はマイクロコンピュータによって構成され、グループ単位で順次入力されるラジオデータ中の各ブロックのコード情報、すなわち現在受信中の放送局の番組内容に関連するラジオデータ情報（上記したＴＡコード、ＴＰコード、ＰＩコード、ＡＦデータ、ＰＳデータ等）を取り込んでメモリ１５に記憶しておき、操作部１６からの選局指令に基づいてフロントエンド２の一部を構成するＰＬＬ回路のプログラマブル分周器（図示せず）の分周比を定める受信周波数データ値を制御することによって選局動作を行なう。受信周波数データ値は例えば、カウンタの計数値である。
【００２２】
また、ＩＦアンプ３におけるＩＦ信号レベルに基づいて受信信号レベル（電界強度）を検出するレベル検出回路１７と、ＩＦアンプ３におけるＩＦ信号レベルが所定レベル以上でかつＦＭ検波器４におけるいわゆるＳカーブ特性の検波出力が所定レベル範囲内にあるとき受信局を検出して局検出信号を出力する局検出回路１８とが設けられており、レベル検出回路１７によって検出された受信信号レベル及び局検出回路１８から出力される局検出信号はコントローラ１４に供給される。
【００２３】
次に、コントローラ１４のプロセッサによって実行されるチャンネルリコール動作について図５に示したフローチャートに従って説明する。ここでは、受信機のプリセットチャンネルの第１チャンネルにネットワークＮＷに属するＲＤＳ放送局ａの周波数が既にセットされており、ネットワークＮＷの放送番組を聴取するために操作部１６の第１チャンネルのチャンネル選択ボタンがユーザによって操作され、それによってチャンネルリコール動作が開始されたとする。また、メモリ１５には放送局ａのＰＩコード（国コード、ＲＥＧコード及びネットワークコード）及び周波数データが記憶されているとする。
【００２４】
チャンネルリコール動作において、プロセッサは先ず、メモリ１５に記憶された周波数データに応じた周波数への同調動作を行なう（ステップＳ１）。これにより、第１チャンネルにプリセットされた周波数における受信状態となる。そして、現受信周波数にて受信信号からラジオデータ信号が抽出されたか否かを判別する（ステップＳ２）。ラジオデータ信号が抽出されないならば、後述のステップＳ７に進んで新たな放送波を検索する。
【００２５】
ラジオデータ信号が抽出されたならば、ラジオデータ信号中のＰＩコードを読み取り（ステップＳ３）、読取ＰＩコードの４桁全てがメモリ１５に記憶されている放送局ａのＰＩコードの全てと一致するか否かを判別する（ステップＳ４）。読取ＰＩコードの４桁全てがメモリ１５に記憶されている放送局ａのＰＩコードの全てと一致する場合には、現受信周波数での受信状態を継続する（ステップＳ５）。すなわち、現受信周波数で受信している放送波から得られたＰＩコードの４桁全てがメモリ１５に記憶されている放送局ａのＰＩコードの全てと一致したので、受信機はネットワークＮＷに属する放送局からの放送波を受信したことになる。
【００２６】
ステップＳ４において、読取ＰＩコードの４桁全てがメモリ１５に記憶されている放送局ａのＰＩコードの全てと一致しない場合には、読取ＰＩコードのＲＥＧコード以外の３桁はメモリ１５に記憶されている放送局ａのＰＩコードと一致するか否かを判別する（ステップＳ６）。読取ＰＩコードのＲＥＧコード以外の３桁がメモリ１５に記憶されている放送局ａのＰＩコードと一致しない場合には、新たな放送波を検索する放送波検索動作を行なう（ステップＳ７）。放送波検索動作においては、例えば、メモリ１５に予め記憶されたネットワークＮＷのＡＦデータリストを用いて選局しても良いし、シーク動作によって受信機の受信周波数帯を走査しつつ局検出回路１８の出力を監視し、局検出回路１８の出力から局検出信号が発生したときシーク動作を停止させるようにしても良い。
【００２７】
ステップＳ７の実行後、新たな放送波を受信したか否かを判別する（ステップＳ８）。新たな放送波を受信したならば、ステップＳ２に戻って現受信周波数にて受信信号からラジオデータ信号が抽出されたか否かを判別し、上記した動作を繰り返す。
ステップＳ６において、読取ＰＩコードのＲＥＧコード以外の３桁はメモリ１５に記憶されている放送局ａのＰＩコードと一致すると判別した場合には、操作部１６に設けられているＲＥＧスイッチ（図示せず）がオンか否かを判別する（ステップＳ９）。ＲＥＧスイッチはＲＥＧコードを無視する場合にはオフ、ＲＥＧコードを考慮する場合にはオンにユーザによって操作されるようになっている。ＲＥＧスイッチがオフならば、ステップＳ５に進んで現受信周波数での受信状態を継続する。ＲＥＧスイッチがオンならば、メモリ１５に記憶されている放送局ａのＰＩコード中のＲＥＧコードを判別する（ステップＳ１０）。ステップＳ１０の判別の結果、ＲＥＧコードが０〜３である場合にはメモリに記憶された放送局ａのＰＩコードは放送局ａが広域向け放送をしていたときのものであるので、ステップＳ５に進んで現受信周波数での受信状態を継続する。ステップＳ１０の判別の結果、ＲＥＧコードが４〜Ｆである場合にはメモリに記憶された放送局ａのＰＩコードは放送局ａがローカル向け放送をしていたときのものであるので、更に、読取ＰＩコード中のＲＥＧコードを判別する（ステップＳ１１）。
【００２８】
ステップＳ１１の判別の結果、ＲＥＧコードが０〜３である場合には受信中の放送波では広域向け放送をしており、メモリに記憶された放送局ａのＰＩコードは放送局ａはローカル向け放送をしていたときのものであるので、ステップＳ５に進んで現受信周波数での受信状態を継続する。ステップＳ１１の判別の結果、ＲＥＧコードが４〜Ｆである場合には受信中の放送波ではローカル向け放送をしており、メモリに記憶された放送局ａのＰＩコードは放送局ａがローカル向け放送をしていたときのものであり、その互いのＲＥＧコードが一致していないので、ステップＳ７に進んで新たな放送波を検索する放送波検索動作を行なう。
【００２９】
ステップＳ８において新たな放送波を受信し得なかった場合には、第１チャンネルにセットされているネットワークＮＷに属する放送局の放送波を新たに受信することができなかったので、その受信できなかったことを図示しないディスプレイに表示する（ステップＳ１２）。
かかるチャンネルリコール動作においては、例えば、上記した図３に示すように、地域Ａ内の地点ＰＡにおいて受信機の第１チャンネルにネットワークＮＷに属する放送局ａ（周波数９０ＭＨｚ）をセットしたとする。また、そのときの放送局ａのＰＩコードがメモリ１５に記憶されているとする。放送局ａのＰＩコードは広域向け番組ではＣ３１２、ローカル向け番組ではＣ４１２になるとする。その後、地域Ｂ内の地点ＰＢにおいて、ネットワークＮＷの放送番組を聴取するために受信機の第１チャンネルのチャンネル選択ボタンが操作されると、放送局ａの放送波を受信することができないので、ステップＳ７により放送波検索動作が開始される。地域Ｂ内にはネットワークＮＷに属する放送局ｂ（周波数１００ＭＨｚ）が存在するならば、その放送波検索動作により放送局ｂの放送波がＰＩコードチェックのために受信される。放送局ｂのＰＩコードは広域向け番組ではＣ３１２、ローカル向け番組ではＣ５１２になるとする。
【００３０】
メモリ１５に記憶された放送局ａのＰＩコードがＣ３１２で、移動してきた地域Ｂ内の地点ＰＢにおいて受信機で現在得られた放送局ｂのＰＩコードがＣ３１２ならば、受信機では受信周波数が１００ＭＨｚが維持され、放送局ｂの放送波が継続受信される。一方、メモリ１５に記憶された放送局ａのＰＩコードがＣ３１２で、移動してきた地域Ｂ内の地点ＰＢにおいて受信機で現在得られた放送局ｂのＰＩコードがＣ５１２の場合にはステップＳ１０において、メモリ１５に記憶されている放送局ａのＰＩコード中のＲＥＧコードは広域向け放送中を示す０〜３と判別されるので、ステップＳ５に進んで受信機では受信周波数が１００ＭＨｚが維持され、放送局ｂの放送波が継続受信される。また、メモリ１５に記憶された放送局ａのＰＩコードがＣ４１２で、移動してきた地域Ｂ内の地点ＰＢにおいて受信機で現在得られた放送局ｂのＰＩコードがＣ３１２の場合には、ステップＳ１１において、受信した放送波から得たＰＩコード中のＲＥＧコードは広域向け放送中を示す０〜３と判別されるので、ステップＳ５に進んで受信機では受信周波数が１００ＭＨｚが維持され、放送局ｂの放送波が継続受信される。
【００３１】
しかしながら、メモリ１５に記憶されている放送局ａのＰＩコードがＣ４１２で、移動して来た地域Ｂ内の地点ＰＢにおいて受信機で現在得られた放送局ｂのＰＩコードがＣ５１２の場合には、ステップＳ１１において受信した放送波から得たＰＩコード中のＲＥＧコードは地域向け放送中を示す４〜Ｆと判断されるので、ステップＳ７に進んで新たな放送波を検索する放送波検索動作を行なう。
【００３２】
なお、上記各実施例では、ＲＥＧスイッチが設けられているが、ＲＥＧスイッチを設けない受信機にも本発明を適用することができる。このＲＥＧスイッチを設けない受信機では、上記のステップＳ６において、読取ＰＩコードのＲＥＧコード以外の３桁はメモリ１５に記憶されている放送局ａのＰＩコードと一致すると判別した場合には、直ちにステップＳ１０に進むことになる。
【００３３】
【発明の効果】
以上説明したように、本発明によれば、新たに受信した放送波に含まれるエリアコードとメモリに記憶されているエリアコードとが、広域と地域との関係にある場合にはその放送波の受信を継続するので、記憶した放送局のＰＩコードの変化を適切に反映させた受信が可能となる。特に、本発明は、ＲＥＧスイッチを排した受信機を構成する際のプリセットリコール及びＡＦコードを利用したネットワークフォロー処理実行時などの選局処理において有効である。
【図面の簡単な説明】
【図１】ラジオデータ信号のベースバンドコーディング構造を示す図である。
【図２】タイプ０Ａグループのフォーマットを示す図である。
【図３】地域Ａ内の地点ＰＡから地域Ｂ内の地点ＰＢに移動した場合の受信機の動作を説明するための図である。
【図４】本発明が適用されたＲＤＳ受信機の構成を示すブロック図である。
【図５】受信機中のコントローラ内のプロセッサによって実行されるチャンネルリコール動作を示すフローチャートである。
【符号の説明】
２  フロントエンド
４  ＦＭ検波器
５  マルチプレクス復調回路
８  ディジタルＰＬＬ回路
９  デコーダ
１４  コントローラ
【図１】
0003763560.tif 000002
【図２】
0003763560.tif 000003
【図３】
0003763560.tif 000004
【図４】
0003763560.tif 000005
【図５】
0003763560.tif 000006